(57)【要約】【課題】通信回線を介してＩＪ方式試薬検査装置から検査データを取得して診断を依頼することができる制御システムを実現する。【解決手段】ＩＪ方式試薬検査装置３は、入力された検査項目に関する検査情報に基づいて吐出装置に対する試薬の吐出指示と着脱可能なＤＮＡチップモジュール２からの検査結果読み取りとを行い、該検査結果の検査データを入力された被検査者識別情報と当該検査項目とともに通信回線を介して出力する。制御装置５は、通信回線を介してＩＪ方式試薬検査装置３から検査項目およびその検査データとともに被検査者識別情報を受信し、該検査者識別情報に関連付けて該検査項目と該検査データを記録し、該検査データに基づく診断の依頼を行う。【選択図】　　図１
2004069559.tif 000002
【特許請求の範囲】
【請求項１】
流動性を有した液状体である試薬を被吐出物上に吐出する吐出装置を備えた製造システムであって、
通信回線を介してデータを送受する通信手段と、
前記被吐出物であるＤＮＡチップモジュールを着脱可能なコネクタと、
入力された検査項目に関する検査情報に基づいて前記吐出装置に対する試薬の吐出指示と前記ＤＮＡチップモジュールからの検査結果読み取りとを行い、該検査結果の検査データを入力された被検査者識別情報と当該検査項目とともに前記通信手段により出力する検査手段と、
を具備することを特徴とする製造システム。
【請求項２】
前記検査手段は、
前記検査後、前記ＤＮＡチップモジュールに使用済みである旨を記録する
ことを特徴とする請求項１に記載の製造システム。
【請求項３】
前記検査手段は、
前記検査データにより診断を行う診断者の情報を蓄積する診断者データベースへアクセスし、診断者情報を取得して出力し、選択入力された診断者情報を前記検査データとともに出力する
ことを特徴とする請求項１または請求項２に記載の製造システム。
【請求項４】
通信回線を介してデータを送受する通信手段と、
被検査者識別情報に関連付けて検査項目とその検査データを記憶する記憶手段と、
前記通信手段により試薬検査装置から検査項目およびその検査データとともに被検査者識別情報を受信して前記記憶手段に記録し、該検査データに基づく診断の依頼を行う制御処理手段と、
を具備することを特徴とする制御装置。
【請求項５】
前記制御処理手段は、
検査項目毎に検査データの内容に対応する検査評価情報を蓄積する検査評価情報データベースへアクセスして該当の検査評価情報を取得し、この検査評価情報を前記試薬検査装置へ前記通信手段により送信する
ことを特徴とする請求項４に記載の制御装置。
【請求項６】
通信回線を介して試薬検査装置から検査項目およびその検査データとともに被検査者識別情報を受信する過程と、
前記検査者識別情報に関連付けて前記検査項目と前記検査データを記録する過程と、
前記検査データに基づく診断の依頼を行う過程と、
を含むことを特徴とする制御方法。
【請求項７】
検査項目毎に検査データの内容に対応する検査評価情報を蓄積する検査評価情報データベースへアクセスして該当の検査評価情報を取得する過程と、
この検査評価情報を前記試薬検査装置へ前記通信回線を介して送信する過程と、
をさらに含むことを特徴とする請求項６に記載の制御方法。
【請求項８】
通信回線を介して試薬検査装置から検査項目およびその検査データとともに被検査者識別情報を受信する処理と、
前記検査者識別情報に関連付けて前記検査項目と前記検査データを記録する処理と、
前記検査データに基づく診断の依頼を行う処理と、
をコンピュータに実行させることを特徴とする制御プログラム。
【請求項９】
検査項目毎に検査データの内容に対応する検査評価情報を蓄積する検査評価情報データベースへアクセスして該当の検査評価情報を取得する処理と、
この検査評価情報を前記試薬検査装置へ前記通信回線を介して送信する処理と、
をさらにコンピュータに実行させることを特徴とする請求項８に記載の制御プログラム。
【請求項１０】
請求項１乃至請求項３のいずれかの項に記載の製造システムと、請求項４または請求項５に記載の制御装置とをデータ伝送可能な通信回線を提供する通信ネットワークに接続してなることを特徴とする制御システム。
【発明の詳細な説明】
【０００１】
【発明の属する技術分野】
本発明は、流動性を有した液状体を吐出する吐出方法（インクジェット法）により、ＤＮＡ（ｄｅｏｘｙｒｉｂｏｎｕｃｌｅｉｃ　ａｃｉｄ：デオキシリボ核酸）チップモジュール上へ該液状体である試薬を吐出して検査を行うインクジェット方式を用いた試薬検査装置（製造システム）に関する。また、本発明は、その試薬検査装置が行う検査に関する制御を行うための制御装置、その制御方法、制御システム及び制御プログラムに関する。
【０００２】
【従来の技術】
近年、遺伝子など、身体状態の診断等の検査用にＤＮＡチップモジュールが利用されるようになってきている。このＤＮＡチップモジュールを用いた検査においては、ＤＮＡチップモジュール上にマトリクス配列するスパイクスポットへ、被検査者の血液等と試薬を供給して反応させる。この試薬の供給方法としてインクジェット法が有用であり注目を浴びている。
【０００３】
【発明が解決しようとする課題】
ところで、ＤＮＡチップモジュールを用いた検査は、被検査者の血液等をＤＮＡチップモジュールに供給するだけでよいので、気軽に検査を受けたいという要望がある。特に、近くに病院がないような人にとっては、身体の具合が悪い時にわざわざ病院まで出向くのは大変である。
【０００４】
このような理由から、ＤＮＡチップモジュール上へ液状体である試薬を吐出して検査を行うＩＪ方式試薬検査装置を実現し、通信回線を介してＩＪ方式試薬検査装置から検査データを取得して診断を依頼することができる制御システムが要望されている。
【０００５】
本発明は、このような事情を考慮してなされたもので、その目的は、通信回線を介してＩＪ方式試薬検査装置から検査データを取得して診断を依頼することができる制御システムを提供することにある。また、本発明は、その制御システムを実現するためのインクジェット方式を用いた試薬検査装置（製造システム）、その制御装置、制御方法、及び制御プログラムを提供することも目的とする。
【０００６】
【課題を解決するための手段】
上記の課題を解決するために、請求項１に記載の製造システムは、流動性を有した液状体である試薬を被吐出物上に吐出する吐出装置を備えたインクジェット方式を用いた試薬検査装置であって、通信回線を介してデータを送受する通信手段と、前記被吐出物であるＤＮＡチップモジュールを着脱可能なコネクタと、入力された検査項目に関する検査情報に基づいて前記吐出装置に対する試薬の吐出指示と前記ＤＮＡチップモジュールからの検査結果読み取りとを行い、該検査結果の検査データを入力された被検査者識別情報と当該検査項目とともに前記通信手段により出力する検査手段とを具備することを特徴としている。
【０００７】
請求項２に記載の製造システムは、前記検査手段は、前記検査後、前記ＤＮＡチップモジュールに使用済みである旨を記録することを特徴とする。
【０００８】
請求項３に記載の製造システムは、前記検査手段は、前記検査データにより診断を行う診断者の情報を蓄積する診断者データベースへアクセスし、診断者情報を取得して出力し、選択入力された診断者情報を前記検査データとともに出力することを特徴とする。
【０００９】
請求項４に記載の制御装置は、通信回線を介してデータを送受する通信手段と、被検査者識別情報に関連付けて検査項目とその検査データを記憶する記憶手段と、前記通信手段により試薬検査装置から検査項目およびその検査データとともに被検査者識別情報を受信して前記記憶手段に記録し、該検査データに基づく診断の依頼を行う制御処理手段とを具備することを特徴としている。
【００１０】
請求項５に記載の制御装置は、前記制御処理手段は、検査項目毎に検査データの内容に対応する検査評価情報を蓄積する検査評価情報データベースへアクセスして該当の検査評価情報を取得し、この検査評価情報を前記試薬検査装置へ前記通信手段により送信することを特徴とする。
【００１１】
請求項６に記載の制御方法は、通信回線を介して試薬検査装置から検査項目およびその検査データとともに被検査者識別情報を受信する過程と、前記検査者識別情報に関連付けて前記検査項目と前記検査データを記録する過程と、前記検査データに基づく診断の依頼を行う過程とを含むことを特徴としている。
【００１２】
請求項７に記載の制御方法は、検査項目毎に検査データの内容に対応する検査評価情報を蓄積する検査評価情報データベースへアクセスして該当の検査評価情報を取得する過程と、この検査評価情報を前記試薬検査装置へ前記通信回線を介して送信する過程とをさらに含むことを特徴とする。
【００１３】
請求項８に記載の制御プログラムは、通信回線を介して試薬検査装置から検査項目およびその検査データとともに被検査者識別情報を受信する処理と、前記検査者識別情報に関連付けて前記検査項目と前記検査データを記録する処理と、前記検査データに基づく診断の依頼を行う処理とをコンピュータに実行させることを特徴としている。
【００１４】
請求項９に記載の制御プログラムは、検査項目毎に検査データの内容に対応する検査評価情報を蓄積する検査評価情報データベースへアクセスして該当の検査評価情報を取得する処理と、この検査評価情報を前記試薬検査装置へ前記通信回線を介して送信する処理とをさらにコンピュータに実行させることを特徴とする。
これらの制御プログラムにより、前述の制御装置がコンピュータを利用して実現できるようになる。
【００１５】
請求項１０に記載の制御システムは、請求項１乃至請求項３のいずれかの項に記載の製造システムと、請求項４または請求項５に記載の制御装置とをデータ伝送可能な通信回線を提供する通信ネットワークに接続してなることを特徴としている。
【００１６】
【発明の実施の形態】
以下、図面を参照し、本発明の一実施形態について説明する。
図１は、本発明の一実施形態によるインクジェット方式を用いた試薬検査装置（ＩＪ方式試薬検査装置）の制御システムの全体構成を示すブロック図である。この図１において、符号１はＩＪ方式試薬検査装置の提供を受けている検査施設である。この検査施設１にはＩＪ方式試薬検査装置３が備えられている。また、ＩＪ方式試薬検査装置３で検査を行う際に用いるＤＮＡチップモジュール２も備えている。符号４はＩＪ方式試薬検査装置３の運用管理を行う病院である。この病院４にはＩＪ方式試薬検査装置３が行う検査に関する制御を行うための制御装置５と、端末６とを備える。この端末６は、例えば病院４内の医師が使用するものである。
【００１７】
符号７はデータ伝送可能な通信回線を提供する通信ネットワークであり、この通信ネットワーク７としては、電話回線網や専用回線網、あるいは、インターネットと呼ばれるコンピュータネットワークなどが利用可能である。上記ＩＪ方式試薬検査装置３、制御装置５、及び端末６は、それぞれ通信ネットワーク７に接続可能である。また、ＩＪ方式試薬検査装置３、及び端末６はこの通信ネットワーク７を介して制御装置５にそれぞれアクセスすることができる。
例えば、制御装置５を、ＩＪ方式試薬検査装置３、及び端末６をクライアントとするサーバとし、これによりサーバ・クライアントシステムを構成する。これ
【００１８】
図２は、図１に示すＤＮＡチップモジュール２の構成を示すブロック図である。このＤＮＡチップモジュール２には、複数のＴＦＴ素子１１が形成されている。これらＴＦＴ素子１１は略等間隔で略直線上でかつ複数列設けられている。このＴＦＴ素子１１は、ＴＦＴ素子１１上に供給された被検査者の例えば血液と試薬との反応を検知する半導体電界効果型バイオセンサとして機能する。また、ＤＮＡチップモジュール２は、各ＴＦＴ素子１１を駆動するための駆動回路１２と、ＤＮＡチップモジュール２が使用済みであることを示すフラグを記憶するための使用済みフラグ記憶部１３と、ＤＮＡチップモジュール２をＩＪ方式試薬検査装置３へセットした際に各種信号を入出力するための端子を有する端子部１４とを備える。この端子部１４を介して各ＴＦＴ素子１１の出力信号、駆動回路１２への入力信号、使用済みフラグ記憶部１３の書き込み信号および読み出し信号が入力あるいは出力可能である。
【００１９】
使用済みフラグ記憶部１３にはフラッシュメモリ等の不揮発性メモリを使用する。この使用済みフラグ記憶部１３は使用済みフラグを記憶するが、これはＤＮＡチップモジュール２が使用済みであることを報知してＤＮＡチップモジュール２の誤用等を防止するために行う。なお、ＤＮＡチップモジュール２は基本的に使い捨てとして扱うので、使用済みフラグ記憶部１３は書き換え不可能な記録素子を使用するのが望ましい。
【００２０】
図３は、図１に示すＩＪ方式試薬検査装置３の構成を示すブロック図である。この図３において、符号２０はＤＮＡチップモジュール２に流動性を有した液状体である試薬を供給するための吐出装置である。この吐出装置２０は、ＤＮＡチップモジュール２のＴＦＴ素子１１上にインクジェット方式により試薬をドット状に吐出するインクジェットヘッド２１と、このインクジェットヘッド２１の吐出動作を制御するための駆動信号を出力する駆動回路２２と、インクジェットヘッド２１へ供給する試薬を貯めておく試薬タンク２３と、回路各部を制御するＣＰＵ（図示せず）およびこのＣＰＵが実行するプログラムや各種データを記憶するためのメモリ（図示せず）などから構成される。試薬タンク２３は着脱可能な構成であり、試薬が充填された状態で試薬メーカから供給される。
【００２１】
符号３０はＤＮＡチップモジュール２を用いて検査を行うための検査部である。この検査部３０は、ＤＮＡチップモジュール２を用いて検査を行う際の検査制御処理を行う検査制御処理部３１と、ＤＮＡチップモジュール２の各ＴＦＴ素子１１の出力信号を受信して制御装置５へ送信する検査データを生成するＤＮＡチップ信号処理部３２と、ＤＮＡチップモジュール２の端子部１４と接続可能なコネクタ３３と、通信ネットワーク７に接続して制御装置５との間でデータ通信を行う通信部３４と、検査上のメッセージ等を表示するための表示部３５と、検査項目設定や検査実行指示等を行うための操作部３６とから構成される。通信部３４により、検査制御処理部３１およびＤＮＡチップ信号処理部３２は制御装置５との間でデータを送受することができる。
【００２２】
コネクタ３３は、ＤＮＡチップモジュール２を着脱可能な構造となっている。このコネクタ３３を介してＤＮＡチップモジュール２との間で、信号の入出力が可能である。
【００２３】
検査制御処理部３１は、検査情報として検査項目およびその検査内容、検査手順、試薬吐出情報、反応時間などを記憶しており、これら検査情報に基づいて検査制御処理を行う。この検査制御処理として、検査制御処理部３１は、操作部３６により設定された検査項目の検査手順に従ってＤＮＡチップモジュール２の駆動回路１２へＴＦＴ素子駆動指示を出力する。駆動回路１２はこのＴＦＴ素子駆動指示に従って該当ＴＦＴ素子１１を駆動する。また、使用済みフラグ記憶部１３の読み書きを行う。
【００２４】
また、検査制御処理部３１は、操作部３６により設定された検査項目に対応した試薬吐出情報を吐出装置２０へ通知して吐出実行を指示する。試薬吐出情報とは、例えば試薬吐出量であり、ＤＮＡチップモジュール２の各ＴＦＴ素子１１毎の試薬吐出量を記憶する。吐出装置２０はこの試薬吐出情報に基づいて、各ＴＦＴ素子１１毎に試薬吐出量を調節する。
【００２５】
ＤＮＡチップ信号処理部３２は、検査データを生成するための処理情報を記憶しており、この処理情報に基づいてＤＮＡチップモジュール２から受信した各ＴＦＴ素子１１の出力信号により検査データを生成する。また、検査データを制御装置５へ送信する際には、操作部３６により設定された被検査者識別情報および当該検査項目とともに送信する。この被検査者識別情報は被検査者を特定可能な情報であって、例えば健康保険証番号や、病院４のカルテ番号などが利用可能である。
【００２６】
上記検査情報は制御装置５から通信ネットワーク７を介して更新可能である。また、ＤＮＡチップ信号処理部３２が実行する検査データ生成処理の内容についても、同様に制御装置５から更新可能である。
【００２７】
なお、検査制御処理部３１、ＤＮＡチップ信号処理部３２は専用のハードウェアにより実現されるものであってもよく、また、これら処理部３１，３２はメモリおよびＣＰＵ（中央処理装置）により構成され、各処理部３１，３２の機能を実現するためのプログラムをメモリにロードして実行することによりその機能を実現させるものであってもよい。
【００２８】
図４は、図１に示す制御装置５の構成を示す構成を示すブロック図である。この図４において、符号４１はＩＪ方式試薬検査装置３が行う検査に関する制御を行うための制御処理を行う制御処理部である。符号４２は各種データを記録するための記憶部であって、制御処理部４１からアクセス可能である。符号４３は通信ネットワーク７に接続してＩＪ方式試薬検査装置３あるいは端末６との間でデータ通信を行う通信部であって、この通信部４３により、制御処理部４１はＩＪ方式試薬検査装置３，端末６との間でそれぞれデータを送受することができる。
【００２９】
また、この制御装置５には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ　Ｒａｙ　Ｔｕｂｅ）や液晶表示装置等のことをいう。
【００３０】
上記制御処理部４１は、ＩＪ方式試薬検査装置３から受け取る検査項目とその検査データを記憶部４２に記録する。ここで、制御処理部４１は、検査項目および検査データとともに受信した被検査者識別情報に関連付けて、該検査項目および検査データを記録する。また、記憶部４２には、制御装置５にアクセスを許可している者を特定するための情報が記録されている。例えば、ユーザＩＤとそのパスワードである。制御処理部４１は、アクセス要求を受けた際には、ユーザＩＤとパスワードの入力を要求し、記憶部４２に記録されているユーザＩＤとそのパスワードに一致した場合にのみ、アクセスを許可する。これにより、被検査者の個人情報が漏洩することを防止する。
【００３１】
また、記憶部４２には、検査項目毎に、検査データの診断を依頼する診断依頼先情報が記録されている。制御処理部４１は、検査データとともに受信した検査項目に対応する診断依頼先情報に基づいて、該当の診断依頼先へ診断依頼通知を送信する。この診断依頼先情報としては、例えば、診断する医師が使用する端末６のＩＰアドレス、あるいは診断する医師の電子メールアドレスなどが利用可能である。
【００３２】
なお、制御処理部４１は専用のハードウェアにより実現されるものであってもよく、また、この制御処理部４１はメモリおよびＣＰＵ（中央処理装置）により構成され、制御処理部４１の機能を実現するためのプログラムをメモリにロードして実行することによりその機能を実現させるものであってもよい。
【００３３】
次に、図５を参照して、検査施設１で検査を行う際の動作を説明する。図５は、図３に示すＩＪ方式試薬検査装置３が行う検査処理の流れを示すフローチャートである。初めに、検査施設１の検査担当者は被検査者の例えば血液をＤＮＡチップモジュール２の各ＴＦＴ素子１１に供給し、このＤＮＡチップモジュール２をＩＪ方式試薬検査装置３のコネクタ３３にセットして操作部３６により検査の開始を指示する。ここで、検査担当者は、表示部３５に表示された検査項目の中から目的とする検査項目を選択する。また、被検査者識別情報も入力する。なお、検査項目を選択する際、各検査項目の検査内容を表示することも可能である。
【００３４】
次いで、ＩＪ方式試薬検査装置３の検査制御処理部３１は、ＤＮＡチップモジュール２の使用済みフラグ記憶部１３に使用済みフラグを読み出して、使用済みフラグが未セット（未使用状態）であるか確認する。ここで、使用済みフラグがセット済み（使用済み状態）であった場合には、当該ＤＮＡチップモジュール２が使用済みである旨のメッセージを表示部３５へ表示し、その処理を終了する（図５のステップＳ１、Ｓ２）。
【００３５】
一方、使用済みフラグが未セットでありＤＮＡチップモジュール２が未使用であった場合には、検査制御処理部３１は、設定された検査項目の試薬吐出情報を吐出装置２０へ通知して吐出実行を指示する。これにより、吐出装置２０はその試薬吐出情報に基づいて各ＴＦＴ素子１１毎に試薬吐出量を調節しながら、試薬を各ＴＦＴ素子１１上へ吐出する（ステップＳ３）。
【００３６】
次いで、検査制御処理部３１は、当該検査項目の反応時間後に、ＤＮＡチップモジュール２から検査結果を読み取るために、該当検査手順に従ってＤＮＡチップモジュール２の駆動回路１２へＴＦＴ素子駆動指示を出力する。また、ＤＮＡチップ信号処理部３２へＤＮＡチップモジュール２から受信した各ＴＦＴ素子１１の出力信号により検査データを生成するよう指示する。これにより、駆動回路１２がそのＴＦＴ素子駆動指示に従って該当ＴＦＴ素子１１を駆動し、ＤＮＡチップ信号処理部３２がそのＴＦＴ素子１１から出力された出力信号を受信して検査データを生成する（ステップＳ４）。
【００３７】
次いで、ＤＮＡチップ信号処理部３２は、その生成した検査データを操作部３６により設定された被検査者識別情報および検査項目とともに、通信部３４により制御装置５へ送信する（ステップＳ６）。また、検査制御処理部３１は、使用済みフラグ記憶部１３に使用済みフラグを書き込み使用済み状態にセットする（ステップＳ６）。これにより、ＩＪ方式試薬検査装置３の検査処理が終了する。
【００３８】
次に、図６を参照して、病院４の制御装置５が検査データを受信した際の動作を説明する。図６は、図４に示す制御処理部４１が行う制御処理の流れを示すフローチャートである。先ず、制御装置５は、ＩＪ方式試薬検査装置３から通信部４３により検査項目とその検査データを受信すると、該検査項目および検査データとともに受信した被検査者識別情報に関連付けて該検査項目および検査データを記憶部４２に記録する（図６のステップＳ１１、Ｓ１２）。次いで、制御処理部４１は、検査データとともに受信した検査項目に対応する診断依頼先情報に基づいて、該当の診断依頼先へ診断依頼通知を送信する（ステップＳ１３）。この後、処理を継続する場合は上記ステップＳ１１にその処理を戻す。
【００３９】
上記診断依頼通知を受けた医師は、端末６により制御装置５にアクセスして診断依頼された検査データを取得し、当該検査項目についての診断を行う。こ診断結果については、被検査者の個人情報保護のために、被検査者宛ての親展郵便にて送付する。あるいは、パスワード付きの電子メールで送信する。
【００４０】
なお、上述した実施形態において、被検査者が診断者を選べるようにしてもよい。例えば、診断者（医師等）の情報を蓄積する診断者データベースを備え、検査施設１で検査を行う際にＩＪ方式試薬検査装置３から診断者データベースへアクセスし、被検査者が希望する診断者のリストを取得して表示する。そして、被検査者が選択した診断者情報を検査データとともに制御装置５に送信する。制御装置５は、この診断者情報に示された診断者へ診断を依頼する。これにより、被検査者は、簡易に、例えば主治医などを選択して診断を依頼することができる。
【００４１】
また、検査項目毎に検査データの内容に対応する検査評価情報（例えば、疑わしい病名や症状の判定情報）を蓄積する検査評価情報データベースを備え、制御装置５が検査データを受信した際に、該検査評価情報データベースへアクセスして該当の検査評価情報を取得し、この検査評価情報をＩＪ方式試薬検査装置３へ送信して表示するようにしてもよい。これにより、被検査者に対して、検査後、いち早く検査に基づいた情報を通知することができる。この結果、被検査者は、検査後、いち早く検査に基づいた身体の具合を把握することができるようになる。
【００４２】
さらに、検査評価情報データベースに、被検査者毎の過去の検査データや診断結果、症状についての情報を蓄積するようにしておけば、より一層、的確な情報を被検査者に通知することができるようになる。
【００４３】
なお、上述した実施形態においては、ＩＪ方式試薬検査装置３の検査制御処理部３１に検査情報を記憶するようにしたが、制御装置５に記録しておき、検査時に、ＩＪ方式試薬検査装置３から制御装置５へアクセスして当該検査情報を取得するようにしてもよい。あるいは、検査情報は制御装置５とは異なるデータベース上に記録されていて、このデータベースにアクセスして取得するようにしてもよい。
【００４４】
また、上述した実施形態においては、ＤＮＡチップモジュール２から検査結果を読み取る際に、ＴＦＴ素子１１の出力信号を取得するようにし、この出力信号から検査データを生成するようにしたが、他の方法で検査結果を読み取るようにしてもよい。例えば、ＴＦＴ素子１１上の反応状況をＣＣＤ等により光学的に、例えば画像データとして取得し、この画像データから検査データを生成してもよい。また、検査データの生成処理については、制御装置５で行うようにしてもよい。
【００４５】
なお、上述した実施形態においては、ＴＦＴ素子による半導体電界効果型バイオセンサが形成されたＤＮＡチップモジュールを用いるようにしたが、ＴＦＴ素子以外の半導体電界効果型バイオセンサが形成されたＤＮＡチップモジュールを用いるようにしてもよい。また、半導体電界効果型バイオセンサ以外のバイオセンサであってもよい。また、ＤＮＡチップモジュール上のバイオセンサの配置については、上述した実施形態のように、略等間隔で略直線上でかつ複数列設けるような配置に限定されるわけではない。
【００４６】
また、上述した実施形態において吐出装置２０が備えるインクジェットヘッド２１には、圧電素子の撓み変形を利用してインクを吐出する構造のインクジェットヘッドを用いるようにしてもよく、あるいは他の任意の構造のインクジェットヘッド、例えば加熱により発生するバブルによりインクを吐出する方式のインクジェットヘッドなどを用いることもできる。
【００４７】
また、インクジェットヘッド２１は、ノズルを略等間隔で略直線上でかつ複数列設けたものであってもよいし、あるいは等間隔でなくてもよく、直線上に列をなして配設しなくてもよい。
【００４８】
また、図３に示すＩＪ方式試薬検査装置３が行う各処理を実現するためのプログラムをコンピュータ読み取り可能な記録媒体に記録して、この記録媒体に記録されたプログラムをコンピュータシステムに読み込ませ、実行することにより検査処理を行ってもよい。
また、図４に示す制御装置５が行う各処理を実現するためのプログラムをコンピュータ読み取り可能な記録媒体に記録して、この記録媒体に記録されたプログラムをコンピュータシステムに読み込ませ、実行することにより制御処理を行ってもよい。
【００４９】
なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００５０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５１】
以上、本発明の実施形態を図面を参照して詳述してきたが、具体的な構成はこの実施形態に限られるものではなく、本発明の要旨を逸脱しない範囲の設計変更等も含まれる。
【００５２】
【発明の効果】
以上説明したように、本発明によれば、インクジェット方式を用いた試薬検査装置（ＩＪ方式試薬検査装置）において、入力された検査項目に関する検査情報に基づいて吐出装置に対する試薬の吐出指示と着脱可能なＤＮＡチップモジュールからの検査結果読み取りとを行い、該検査結果の検査データを入力された被検査者識別情報と当該検査項目とともに通信回線を介して出力する。また、制御装置において、通信回線を介して試薬検査装置から検査項目およびその検査データとともに被検査者識別情報を受信し、該検査者識別情報に関連付けて該検査項目と該検査データを記録し、該検査データに基づく診断の依頼を行う。これにより、ＩＪ方式試薬検査装置と制御装置とを通信ネットワークにそれぞれ接続すれば、通信回線を介してＩＪ方式試薬検査装置から検査データを取得して診断を依頼することができる制御システムを提供することが可能となる。
【００５３】
この結果、ＩＪ方式試薬検査装置を、例えばコンビニエンスストアなど、各所にある施設に設置するようにすれば、多数の人が気軽に検査を受けられるようになり、多くの人の健康状態の維持管理に役立つという効果が得られる。特に、病院が近くにないような地域の人たちにとっては、身体の具合が悪い時などには直ぐに検査を受けられるようになるので、非常に有用となる。
【００５４】
また、請求項２に記載の発明によれば、ＩＪ方式試薬検査装置において、検査後、ＤＮＡチップモジュールに使用済みである旨を記録するようにしたので、使用済みのＤＮＡチップモジュールを検査に用いるなどの誤用等を防止することができる。
【００５５】
また、請求項３に記載の発明によれば、検査データにより診断を行う診断者の情報を蓄積する診断者データベースへアクセスし、診断者情報を取得して出力し、選択入力された診断者情報を検査データとともに出力するようにしたので、被検査者が診断者を選べるようになり、例えば主治医などを選択して診断を依頼することができる。
【００５６】
また、請求項７に記載の発明によれば、制御装置において、検査項目毎に検査データの内容に対応する検査評価情報を蓄積する検査評価情報データベースへアクセスして該当の検査評価情報を取得し、この検査評価情報を試薬検査装置へ送信するようにしたので、被検査者に対して、検査後、いち早く検査に基づいた情報を通知することができる。
【図面の簡単な説明】
【図１】本発明の一実施形態によるインクジェット方式を用いた試薬検査装置（ＩＪ方式試薬検査装置）の制御システムの全体構成を示すブロック図である。
【図２】図１に示すＤＮＡチップモジュール２の構成を示すブロック図である。
【図３】図１に示すＩＪ方式試薬検査装置３の構成を示すブロック図である。
【図４】図１に示す制御装置５の構成を示す構成を示すブロック図である。
【図５】図３に示すＩＪ方式試薬検査装置３が行う検査処理の流れを示すフローチャートである。
【図６】図４に示す制御処理部４１が行う制御処理の流れを示すフローチャートである。
【符号の説明】
１　検査施設
２　ＤＮＡチップモジュール
３　ＩＪ方式試薬検査装置
４　病院
５　制御装置
６　端末
７　通信ネットワーク
１１　ＴＦＴ素子
１２　駆動回路
１３　使用済みフラグ記憶部
１４　端子部
２０　吐出装置
２１　インクジェットヘッド（液滴吐出ヘッド）
２２　駆動回路
２３　試薬タンク
３０　検査部
３１　検査制御処理部
３２　ＤＮＡチップ信号処理部
３３　コネクタ
３４，４３　通信部
３５　表示部
３６　操作部
４１　制御処理部
４２　記憶部
【図１】
2004069559.tif 000003
【図２】
2004069559.tif 000004
【図３】
2004069559.tif 000005
【図４】
2004069559.tif 000006
【図５】
2004069559.tif 000007
【図６】
2004069559.tif 000008